(57)【特許請求の範囲】
【請求項１】
釣り糸が挿通する内部経路を有する竿体に装着され、リールからの釣り糸を前記内部経路の糸導入口に案内するための中通し竿用糸導入ガイドであって、
両端に形成され、前記糸導入口を挟んで前記竿体の外周面に固定される前後の固定部と、
前記前後の固定部を連結するとともに、前記リールからの釣り糸が挿通可能でこの釣り糸を前記糸導入口に案内するための第１ガイド部を有する連結部と、
前記第１ガイド部を挿通した釣り糸を前記糸導入口に案内する第２ガイド部を有し、一端が前記第１ガイド部より前方で前記連結部に固定され、他端が前記竿体側に延び前記竿体に固定されていない中間支持部と、
を備えた中通し竿用糸導入ガイド。
【請求項２】
前記連結部は前記前後の固定部と一体で形成された金属製の板状部材である、請求項１に記載の中通し竿用糸導入ガイド。
【請求項３】
前記連結部は前記糸導入口に対向する開口部を有する、請求項１又は２に記載の中通し竿用糸導入ガイド。
【請求項４】
前記中間支持部は、前記連結部の開口部の後縁部を前記竿体側に折り曲げて形成されている、請求項３に記載の中通し竿用糸導入ガイド。
【請求項５】
前記第２ガイド部は、前記リールからの釣り糸に対する傾斜が前記第１ガイド部のそれより大きくなるように配置されている、請求項１から４のいずれかに記載の中通し竿用糸導入ガイド。
【請求項６】
前記第１及び第２ガイド部はそれぞれ貫通孔を有し、前記第２ガイド部の貫通孔は第１ガイド部の貫通孔より内径が小さい、請求項１から５のいずれかに記載の中通し竿用糸導入ガイド。
【請求項７】
前記連結部は、前記糸導入口と対向する部分に形成された内方に湾曲する内方湾曲部と、前記内方湾曲部の後方に形成された外方に湾曲する外方湾曲部と、前記外方湾曲部の後端部で前記竿体側に折り曲げられて傾斜するように形成された傾斜部とを有するようにアーチ状に形成され、
前記第１ガイド部は前記傾斜部に形成され、前記開口部は前記内方湾曲部に形成されている、請求項３から６のいずれかに記載の中通し竿用糸導入ガイド。
【請求項８】
前記連結部は、幅方向の両側部の少なくとも一部に前記竿体側に折り曲げられて形成された形状の補強リブを有する、請求項１から７のいずれかに記載の中通し竿用糸導入ガイド。
【請求項９】
前記前後の固定部は、糸を前記竿体に巻き付けることで前記竿体の外周面に固定されている、請求項１から８のいずれかに記載の中通し竿用糸導入ガイド。
【発明の詳細な説明】
【０００１】
【発明の属する技術分野】
本発明は、糸導入ガイド、特に、釣り糸が挿通する内部経路を有する竿体に装着され、リールからの釣り糸を内部経路の糸導入口に案内するための中通し竿用糸導入ガイドに関する。
【０００２】
【従来の技術】
中通し竿は、竿体内部に釣り糸を挿通させるための内部経路を有するとともに、穂先側の先端に釣り糸を導出する開口を有し、さらに内部経路と外部とを連通させる糸導入口を手元側に有している。このような中通し竿では、リールからの釣り糸は糸導入口を通して竿体内部の経路に導入され、さらに竿体先端側の開口に導かれて外部に導出される。
【０００３】
この種の中通し竿において、スピニングリールを使用してキャストする際には、釣り糸がリールへの巻き癖により螺旋状になって出ていく。この釣り糸の巻き癖を矯正して糸導入口に釣り糸を導くために、特開平８−１０７７３９号公報に示されるように、アーチ状の糸導入ガイドが知られている。
【０００４】
従来の糸導入ガイドは、糸導入口を挟んで竿体に固定された前後の固定部と、両固定部を連結するアーチ状の連結部とを有している。連結部の後部にはリールからの釣り糸を糸導入口に案内するためのガイド部が設けられている。
【０００５】
この糸導入ガイドでは、前後２カ所で竿体に固定されるので強度上安定している。しかも、前後の固定部を連結する連結部にガイド部が形成されているので、竿体外周面にリング状のガイドが突出して形成された外通し竿に比較して、ガイド部の折れ曲がり等の変形を抑えることができる。さらに、連結部がアーチ状に形成されているので、連結部が滑らかに突出することとなり、糸ふけが生じても釣り糸の引っかかりを少なくできる。
【０００６】
さらに、巻き癖を矯正して糸導入口に釣り糸を導くために２つのガイド部を糸の導入方向に並べて配置したものも前記従来公報の図４に開示されている。この場合、一端が連結部に、他端が竿体の前固定部取付部分と後固定部取付部分との間にそれぞれ固定されるアーチ状の中間支持部を糸導入ガイドに設け、中間支持部に別のガイド部を装着している。
【０００７】
【発明が解決しようとする課題】
前記のような従来の糸導入ガイドでは、アーチ状の中間支持部の一端が連結部に、他端が竿体にそれぞれ固定されているので、糸導入ガイドの強度がさらに向上する。しかし、このように両端が固定された中間支持部を糸導入ガイドに設けると、竿体と中間支持部の他端とを固定するための構造が必要になり、構造が複雑になるとともに、固定構造を設けることにより全体の重量が重くなる。
【０００８】
また、アーチ状の糸導入ガイドでは、外方に突出した連結部が他の部材に衝突した際に、連結部が変形しないようにする必要がある。さらに、糸ふけが生じた場合に、連結部への釣り糸の引っかかりを極力少なくすることが重要である。
【０００９】
本発明の課題は、構造を簡素化しかつ軽量化を図ることにある。
【００１０】
本発明の別の課題は、アーチ状の連結部を有する糸導入ガイドにおいて、強度を低下させないことにある。
【００１１】
本発明のさらに別の課題は、釣り糸の引っかかりを少なくすることにある。
【００１２】
【課題を解決するための手段】
発明１に係る中通し竿用糸導入ガイドは、釣り糸が挿通する内部経路を有する竿体に装着され、リールからの釣り糸を内部経路の糸導入口に案内するための中通し竿用のガイドであって、前後の固定部と、連結部と、中間支持部とを備えている。前後の固定部は、両端に形成され、糸導入口を挟んで竿体の外周面に固定されている。連結部は、前後の固定部を連結するとともに、リールからの釣り糸が挿通可能でこの釣り糸を糸導入口に案内するための第１ガイド部を有している。中間支持部は、第１ガイド部を挿通した釣り糸を糸導入口に案内する第２ガイド部を有し、一端が第１ガイド部より前方で連結部に固定され、他端が竿体側に延び竿体に固定されていない。
【００１３】
このような構造では、中間支持部の一端だけが連結部に固定され、他端が竿体側に延びているだけで竿体に固定されていない。このため、他端と竿体とを固定する構造が必要ないので、構造が簡素化しかつ軽量化を図ることができる。
【００１４】
発明２に係る中通し竿用糸導入ガイドは、発明１のガイドにおいて、前記連結部は前後の固定部と一体で形成された金属製の板状部材である。この場合には、各部を連続的に形成できるので、強度を高くできるとともに、凹凸を少なくして釣り糸の引っかかりをより少なくできる。また、折り曲げ加工により補強等を簡単に実施できる。
【００１５】
発明３に係る中通し竿用糸導入ガイドは、発明１又は２のガイドにおいて、前記連結部は、前記糸導入口に対向する開口部を有する。この場合には、開口部を通して糸導入口を上方から目視することができるので、糸通し具の先端を糸導入口から内部に導入する際や、糸導入口から糸通し具の先端を取り出す際に、作業を行いやすい。
【００１６】
発明４に係る中通し竿用糸導入ガイドは、発明３のガイドにおいて、前記中間支持部は、連結部の開口部の後縁部を竿体側に折り曲げて形成されている。この場合には、中間支持部と開口部とを打ち抜き、中間支持部形成部分だけを折り曲げることで、開口部と中間支持部を容易に形成できる。
【００１７】
発明５に係る中通し竿用糸導入ガイドは、発明１から４のいずれかのガイドにおいて、前記第２ガイド部は、リールからの釣り糸に対する傾斜が第１ガイド部のそれより大きくなるように配置されている。この場合には、第１ガイド部と第２ガイド部とが同径であっても、釣り糸に対して傾斜している分だけ第２ガイド部の径が見かけ上小さくなる。このため、リールによって巻き癖のついた釣り糸は徐々にその巻き癖が矯正されて糸導入口に導かれる。したがって、糸のもつれが少なくなる。
【００１８】
発明６に係る中通し竿用糸導入ガイドは、発明１から５のいずれかのガイドにおいて、前記第１及び第２ガイド部はそれぞれ貫通孔を有し、第２ガイド部の貫通孔は第１ガイド部の貫通孔より内径が小さい。この場合にも、径が徐々に小さくなるので、リールによって巻き癖のついた釣り糸は徐々にその巻き癖が矯正されて糸導入口に導かれる。したがって、糸のもつれが少なくなる。
【００１９】
発明７に係る中通し竿用糸導入ガイドは、発明３から６のいずれかのガイドにおいて、前記連結部は、前記糸導入口と対向する部分に形成された内方に湾曲する内方湾曲部と、内方湾曲部の後方に形成された外方に湾曲する外方湾曲部と、外方湾曲部の後端部で竿体側に折り曲げられて傾斜するように形成された傾斜部とを有するようにアーチ状に形成されている。そして、前記第１ガイド部は傾斜部に形成され、前記開口部は内方湾曲部に形成されている。この場合には、連結部が外方及び内方に湾曲したアーチ状に形成されているので、連結部の強度を適度に維持できる。
【００２０】
発明８に係る中通し竿用糸導入ガイドは、発明１から７のいずれかのガイドにおいて、前記連結部は、幅方向の両側部の少なくとも一部に竿体側に折り曲げられて形成された補強リブを有する。この場合には、連結部が補強されるので、連結部の剛性が高くなり、連結部にものが当たっても連結部が変形しにくい。
【００２１】
発明９に係る中通し竿用糸導入ガイドは、発明１から８のいずれかのガイドにおいて、前記前後の固定部は、糸を前記竿体に巻き付けることで竿体の外周面に固定されている。この場合には、固定部を舌状片等の簡単な形状にするだけで容易に竿体に固定できる。
【００２２】
【発明の実施の形態】
［第１実施形態］
図１に示す本発明の第１実施形態を採用したルアーフィッシング用の中通し竿は、先細り筒状の元竿１と、元竿１の先端側に並継形式で連結された先細り筒状の穂先竿２とを有している。元竿１の前端部には糸導入口１ａが形成され、この糸導入口１ａの前後の部分には他の部分より厚肉の肉盛り部１ｂが形成されている。この肉盛り部１ｂを形成することで、糸導入口１ａの存在により竿の曲げ強さが低下するのを防止している。この糸導入口１ａから竿体内部に導入された釣り糸Ｌは、竿体の内部経路５を通って穂先竿２の先端開口に装着されたトップガイド６から導出される。元竿１の手元側には前後のグリップＧに挟まれるようにスピニングリール３が装着可能である。また、元竿１の竿先側には、リール３から釣り糸Ｌを糸導入口１ａに案内する糸導入ガイド４が装着されている。
【００２３】
糸導入口１ａが形成された元竿１の内部には、図２に示すように、ガイド筒７が嵌め込まれている。ガイド筒７は、合成樹脂製の円筒部材であり、後端が弾性体製の水止め中栓８により封止されている。ガイド筒７の周面には糸導入口１ａに対向する開口７ａが形成されている。ガイド筒７の前部にはリング装着溝７ｂが形成されており、この溝７ｂにセラミック等からなる硬質リング９ａが装着されている。ガイド筒７の内壁は、リング装着溝７ｂに向かって先細り形状のテーパ面７ｃになっており、釣り糸を竿体内部に通す際に使用する糸通し具３０の先端３０ａが、テーパ面７ｃにより硬質リング９ａに容易に案内されるようになっている。
【００２４】
穂先竿２の後端には尻栓１８が着脱自在に装着されており、尻栓１８の後端には硬質リング９ｂが嵌め込まれている。
【００２５】
図３〜図５に示すように、糸導入ガイド４は、プレス加工等の塑性加工法によりステンレス鋼板等の金属板を所定の形状に打ち抜き湾曲させて得られたものである。糸導入ガイド４は、前端部に形成された舌片状の前固定部１０と、同様に後端部に形成された舌片状の後固定部１１と、前後の固定部１０，１１を連結する連結部１２とを有している。前後の固定部１０，１１はそれぞれ糸を元竿１に巻き付けることで元竿１に固定されている。また連結部１２は、この糸導入ガイド４を元竿１に固定した際方湾曲部１２ｂの後端部で元竿側に折り曲げられた傾斜部１２ｃとを有し、アーチ状に形成されている。なお、前固定部１０と内方湾曲部１２ａとは滑らかに連続し、内方湾曲部１２ａと外方湾曲部１２ｂとは滑らかに連続し、さらに傾斜部１２ｃの後端部と後固定部１１とは滑らかに連続している。
【００２６】
また、図３から明らかなように、この糸導入ガイド４において、前後の固定部１０，１１の幅は、他の部分に比較して最も幅が狭く、内方湾曲部１２ａにおいては、前固定部１０から徐々に幅が広くなるとともに後方に行くにしたがって徐々に幅が狭くなっている。そして、外方湾曲部１２ｂの幅は、連結部１２の他の部分に比較して徐々に滑らかに狭くなっている。そして、この糸導入ガイド４は、糸導入口１ａの上方に内方湾曲部１２ａが位置するように元竿１に固定されており、内方湾曲部１２ａの糸導入口１ａと対向する位置には開口部１３が形成されている。また、傾斜部１２ｃには第１ガイド部１５が設けられている。第１ガイド部１５は、傾斜部１２ｃに形成された貫通孔１６と、貫通孔１６の開口縁部に装着されたセラミック等からなる硬質リング１７とを有している。
【００２７】
連結部１２の幅広部の両側には、図４及び図５から明らかなように、補強リブ１２ｄが形成されている。補強リブ１２ｄは、連結部１２の幅広部の両側を下方に折り曲げることで形成されており、この補強リブ１２ｄにより連結部１２の剛性が向上し、連結部１２にものが当たっても変形しにくい。このため、硬質リング１７が変形により外れるのを抑えることができる。
【００２８】
開口部１３の後縁には下方に折り曲げられて形成された中間支持部２０が設けられている。中間支持部２０には第２ガイド部２１が設けられている。第２ガイド部２１は、中間支持部２０に形成された貫通孔２２と、貫通孔２２の開口縁部に装着されたセラミック等からなる硬質リング２３とを有している。硬質リング２３は、硬質リング１７より内径が小さい。この中間支持部２０は、元竿１の軸に対してほぼ垂直に形成されている。この結果、第２ガイド部２１は、傾斜部１２ｃに設けられた第１ガイド部１５より釣り糸Ｌに対して傾斜して配置されていることになる。この中間支持部２０の先端は自由端であるので、中通し竿が曲がっても自由に動くことができる。したがって、中通し竿の剛性が高くならず、竿がしなっても調子を維持しやすい。また、中間支持部２０の先端が固定されていないので、竿体にそれの固定構造を設ける必要がなくなり、構造が簡素化しかつ軽量化を図ることができる。
【００２９】
この糸導入ガイド４を使用する場合は、リール３から繰り出された釣り糸をワイヤ等からなる糸通し具３０（図２参照）に取り付け、糸通し具３０の先端３０ａを第１及び第２ガイド部１５，２１に通した後、糸導入口１ａに導く。このとき、図２に示すように、元竿１内部にガイド筒７を装着し、このガイド筒７にテーパ面７ｃを設けたので、糸通し具３０の先端３０ａが容易に元竿１内の硬質リング９ａに導かれる。糸導入口１ａから竿内部に挿入された糸通し具３０は、竿内部の内部経路５を通して穂先側に導かれ、穂先竿２のトップガイド６から導出される。この導出された糸通し具３０を外部に取り出すことで、釣り糸Ｌが竿の内部経路５に挿通される。
【００３０】
このような実施形態の構造では、中間支持部２０の一端が連結部１２に固定されているだけであるので、糸導入ガイド４の構成が簡素になりかつ重量も軽くなる。しかも、中間支持部２０の一端だけしか固定されず他端は竿体の上方に配置されているだけであるので、中通し竿の剛性が高くならず、竿がしなっても調子を維持しやすい。また、連結部１２が変形しても中間支持部２０は変形しにくく、硬質リング２３も外れにくくなる。
【００３１】
また、連結部１２と前後の固定部１０，１１とを金属板で一体で形成しているので、各部を連続的に形成でき、強度を高くできるとともに、凹凸を少なくして釣り糸の引っかかりをより少なくできる。また、折り曲げ加工により補強等を簡単に実施できる。
【００３２】
また、連結部１２において、糸導入口１ａの上方に対向するように開口部１３を設けたので、開口部１３を通して糸導入口１ａを上方から目視することができる。このため、糸通し具３０の先端３０ａを糸導入口１ａから内部に導入する際や、糸導入口から糸通し具３０の先端３０ａを取り出す際に、作業を行いやすい。
【００３３】
また、中間支持部２０は、連結部１２の開口部１３の後縁部を下方に折り曲げることにより形成されているので、中間支持部２０と開口部１３とを同時に打ち抜いて形成できる。
【００３４】
また、第２ガイド部２１は、リール３からの釣り糸に対して第１ガイド部１５より傾斜して配置されているので、図４（ｂ）に示すように、リール３からの釣り糸Ｌに対する見かけ上の径ｄが実際の径Ｄより小さくなる。しかも硬質リング２３の実際の内径は硬質リング１７の内径より小さいので、硬質リング２３の内径は硬質リング１７のそれに対して見かけ上かなり小さくなり、リール３によって巻き癖のついた釣り糸は徐々にその巻き癖が矯正されて糸導入口１ａに導かれる。したがって、糸のもつれがより少なくなる。
【００３５】
さらに、連結部１２が外方及び内方に湾曲したアーチ状に形成されているので、連結部１２の強度を適度に維持できる。
【００３６】
また、外方湾曲部１２ｂは外方からの力に対して比較的強い。したがって、この本実施形態では、外方湾曲部１２ｂの幅を他の部分に比較して滑らかに狭くし、軽量化とともに釣り糸の引っかかりを抑えている。
【００３７】
［第２実施形態］
図６及び図７に本発明の第２実施形態による糸導入ガイド４０を採用した中通し竿を示す。
【００３８】
この糸導入ガイド４０は、前記同様に、プレス加工等の塑性加工法によりステンレス鋼鈑等の金属板を所定の形状に打ち抜き湾曲させて得られたものであり、前端部に形成された前固定部４１と、後端部に形成された後固定部４２と、これらの間にアーチ状に形成された連結部４３とを有している。前後の固定部４１，４２は元竿１に固定される。また、連結部４３は、前固定部４１に滑らかに連続し内方（元竿側）に湾曲する内方湾曲部４３ａと、内方湾曲部４３ａに滑らかに連続し外方に湾曲する外方湾曲部４３ｂと、外方湾曲部４３ｂの後端部から内方に折り曲げられて形成された傾斜部４３ｃとを有している。そして、傾斜部４３ｃは後固定部４２に滑らかに連続している。
【００３９】
連結部４３において、内方湾曲部４３ａには開口部４４が形成され、傾斜部４３ｃにはガイド部１５が設けられている。ガイド部１５の構成は前記第１実施形態と同様である。また、外方湾曲部４３ｂと傾斜部４３ｃとの間の折れ曲がり部には、その両側を下方に折り曲げて形成した補強用のリブ４３ｄが設けられている。なお、この実施形態では、第１実施形態における中間支持部２０及び第２ガイド部２１は設けられていない。
【００４０】
また、前記第１実施形態と同様に、前後の固定部４１，４２は連結部４３に比較してその幅が狭く形成されている。さらに、連結部４３においては、外方湾曲部４３ｂの幅が他の部分に比較して狭くなっている。
【００４１】
この糸導入ガイド４０は、前記同様に、内方湾曲部４３ａに形成された開口部４４が元竿１の糸導入口１ａに対向するように元竿１に固定される。
【００４２】
このような実施形態では、前記同様に、最も外方に突出している、すなわち糸ふけが生じた際に釣り糸が引っかかりやすい外方湾曲部４３ｂの幅が狭くなっているので、釣り糸の引っかかりを抑えることができる。また、折れ曲がり部分から外方湾曲部４３ｂの幅の狭くなった部分にかけて、両側に補強リブ４３ｄが形成されているので、釣り糸がより引っかかりにくい。
【００４３】
さらに、外方湾曲部４３ｂと傾斜部４３ｃとの間の折れ曲がり部分は他の部材等に当たりやすいが、この部分に補強リブ４３ｄが形成されているので、変形しにくい。
【００４４】
〔他の実施形態〕
ａ）本発明は、ルアーフィッシング用の並継形式の中通し竿に限定されるものではなく、魚釣り用の全ての中通し竿に適用できる。
【００４５】
（ｂ）糸導入ガイドは、金属板製に限定されるものではなく、合成樹脂等の他の材質でもよい。
【００４６】
【発明の効果】
本発明によれば、中間支持部の一端が連結部に固定され、他端が竿体側に延びているだけであり、他端が竿体に固定されていない。このため、中間支持部の他端を竿体に固定する構造が不要になり、構造を簡素化できかつ軽量化を図ることができる。
【００４７】
また、別の発明によれば、連結部の一部に補強リブを有しているので、外方に突出する部分が他の部材等に当たっても、変形を抑えることができ、このため幅寸法を狭くできるので軽量化を実現できるとともに、釣り糸の引っかかりを抑えることができる。
【図面の簡単な説明】
【図１】  本発明の第１実施形態が採用された中通し竿の側面図。
【図２】  その糸導入口付近の断面拡大図。
【図３】  第１実施形態による糸導入ガイドの平面図。
【図４】  前記糸導入ガイドの断面図。
【図５】  前記糸導入ガイドの斜視図。
【図６】  第２実施形態による糸導入ガイドの図４に相当する図。
【図７】  第２実施形態による糸導入ガイドの図５に相当する図。
【符号の説明】
１  元竿
１ａ  糸導入口
３  リール
４，４０  糸導入ガイド
５  内部経路
１０，１１，４１，４２  固定部
１２，４３  連結部
１２ａ，４３ａ  内方湾曲部
１２ｂ，４３ｂ  外方湾曲部
１２ｃ，４３ｃ  傾斜部
１２ｄ，４３ｄ  補強リブ
１３  開口部
１５  第１ガイド部
１７  硬質リング
２０  中間支持部
２１  第２ガイド部
２３  硬質リング
【図１】
0003770349.tif 000002
【図２】
0003770349.tif 000003
【図３】
0003770349.tif 000004
【図４】
0003770349.tif 000005
【図５】
0003770349.tif 000006
【図６】
0003770349.tif 000007
【図７】
0003770349.tif 000008